(57)【要約】【課題】デジタルスチルカメラや一眼レフレックスカメラ等に好適な小型のリレー式ファインダー光学系を提供すること。【解決手段】光軸に沿って物体側から順に、一次像から二次像を形成するための正の屈折力を有するリレーレンズ群３、４と、前記二次像を観察するための正の屈折力を有する接眼レンズ群５，６を有し、前記一次像からの光軸ＩＯと前記接眼レンズ群の光軸ＩＰをねじれの位置に配設するための反射手段Ｍ１，Ｍ２、Ｍ３を有するリレー式ファインダー光学系。【選択図】図２
2007212680.tif 000002
【特許請求の範囲】
【請求項１】
光軸に沿って物体側から順に、一次像から二次像を形成するための正の屈折力を有するリレーレンズ群と、前記二次像を観察するための正の屈折力を有する接眼レンズ群を有し、
前記一次像からの光軸と前記接眼レンズ群の光軸をねじれの位置に配設するための光学手段を有することを特徴とするリレー式ファインダー光学系。
【請求項２】
前記リレーレンズ群は、光軸に沿って物体側から順に、リレー前群とリレー後群からなり、
前記リレー後群は、前記二次像の近傍に配設されていることを特徴とする請求項１に記載のリレー式ファインダー光学系。
【請求項３】
前記リレー前群は、光軸に沿って物体側から順に、正の屈折力を持つ単レンズと、負の屈折力を持つ単レンズと、正の屈折力を持つ単レンズからなり、
前記リレー後群は、正の屈折力を持つ単レンズのみからなることを特徴とする請求項１または２に記載のリレー式ファインダー光学系。
【請求項４】
前記接眼レンズ群は、光軸に沿って物体側から順に、正の屈折力を有する接眼前群と、正の屈折力を有する接眼後群からなり、
前記接眼前群を光軸方向に移動させることにより視度調節を行うことを特徴とする請求項１から３のいずれか１項に記載のリレー式ファインダー光学系。
【請求項５】
前記リレーレンズ群は、１枚の非球面レンズを有することを特徴とする請求項１から４のいずれか１項に記載のリレー式ファインダー光学系。
【請求項６】
前記リレーレンズ群及び前記接眼レンズ群の少なくとも１つのレンズはプラスチックレンズからなることを特徴とする請求項１から５のいずれか１項に記載のリレー式ファインダー光学系。
【請求項７】
前記接眼レンズ群の光軸位置が、前記一次像の位置より前記一次像への入射側に位置することを特徴とする請求項１から６のいずれか１項に記載のリレー式ファインダー光学系。
【請求項８】
請求項１から７のいずれか１項に記載のリレー式ファインダー光学系を具備してなることを特徴とする撮像装置。
【発明の詳細な説明】
【背景技術】
【０００１】
従来、一眼レフレックスカメラ等のファインダー光学系を小型化するためにリレー式ファインダー光学系が提案されている（例えば、特許文献１参照）。
【特許文献１】特開平１−１０１５３４号公報。
【発明の開示】
【発明が解決しようとする課題】
【０００２】
しかしながら、特許文献１に開示されているリレー式ファインダー光学系は、リレーレンズ群と接眼レンズ群との間で焦点板からの光束が接眼レンズ群への光束と交差する構成であるが、リレーレンズ群と接眼レンズ群が焦点板からの光束に干渉しないようにするために、リレーレンズ群と接眼レンズ群との空気間隔を大きく空ける必要があり、カメラの前方にリレーレンズ群が突出し小型化が難しいと言う問題がある。
【０００３】
本発明は、上記課題に鑑みて行われたものであり、デジタルスチルカメラや一眼レフレックスカメラ等に好適な小型のリレー式ファインダー光学系を提供することを目的とする。また、このリレー式ファインダー光学系を具備する撮像装置を提供することを目的とする。
【課題を解決するための手段】
【０００４】
上記課題を解決するために、本発明は、光軸に沿って物体側から順に、一次像から二次像を形成するための正の屈折力を有するリレーレンズ群と、前記二次像を観察するための正の屈折力を有する接眼レンズ群を有し、前記一次像からの光軸と前記接眼レンズ群の光軸をねじれの位置に配設するための光学手段を有することを特徴とするリレー式ファインダー光学系を提供する。
【０００５】
また、本発明は、前記リレー式ファインダー光学系を具備してなることを特徴とする撮像装置を提供する。
【発明の効果】
【０００６】
本発明によれば、デジタルスチルカメラや一眼レフレックスカメラ等に好適な小型のリレー式ファインダー光学系を提供することができる。また、このリレー式ファインダー光学系を具備する撮像装置を提供することができる。
【発明を実施するための最良の形態】
【０００７】
以下、本発明の実施の形態にかかる撮像装置に関し図面を参照しつつ説明する。
【０００８】
図１は、後述する本発明にかかるリレー式ファインダー光学系を有する本発明にかかる撮像装置の概略構成図である。
【０００９】
図１において、本発明にかかる撮像装置１０（例えば、一眼レフレックスカメラ等）は、不図示の被写体からの光が、撮影レンズ１１を通過してクイックリターンミラー１２に入射し、反射されて一次像面に配置された焦点板Ｉ１に一次像を結像する。焦点板Ｉ１に結像された被写体像からの光束は、後述するリレー式ファインダー光学系Ｍに入射して撮像装置１０の後方のファインダー窓１４を介して撮影者に観察される。撮影者は、被写体像を観察し、不図示のレリーズ釦を押し込むことでクイックリターンミラー１２が撮影レンズ１１の光路から退避し不図示のシャッターが動作して撮像素子（例えば、ＣＣＤやＣＭＯＳ等）１５で撮像され不図示のメモリに記録される。記録された画像は、背面の液晶モニタ１６に表示されて撮影者に確認される。このようにして、後述する本発明にかかるリレー式ファインダー光学系Ｍを有する撮像装置１０が構成されている。
【００１０】
本発明にかかる撮像装置１０は、後述するリレー式ファインダー光学系Ｍを内蔵しているため、撮影レンズ１１の光軸Ｉ１１の位置とリレー式ファインダー光学系Ｍの接眼レンズ群の光軸ＩＰの位置を近づけることが可能になり、液晶モニタ１６に表示される被写体像や撮像装置１０の各種情報をより観察しやすくする事ができる。また、小型のリレー式ファインダー光学系Ｍを用いているため、より小型の撮像装置１０を構成することができる。
【００１１】
また、本発明にかかる撮像装置１０は、撮像装置１０内のクイックリターンミラー１２と、リレー式ファインダー光学系Ｍに内蔵された３個の反射面により、ファインダー窓１４から正立化された被写体像を撮影者が観察することができる。
【００１２】
以下、本発明にかかるリレー式ファインダー光学系の各実施の形態を、図１及びそれぞれの添付図面に基づいて説明する。ここで実施の形態の説明のために、図１において、撮影レンズ１１側を「前」、ファインダー１４側を「後」、紙面の奥を「右」、及び紙面手間を「左」と定義する。
【００１３】
（第１実施の形態）
図２は、本発明の第１実施の形態にかかるリレー式ファインダー光学系Ｍの概略構成図である。図３は、図２においてＡ方向から見た（図１において撮像レンズ１１側から見た）ときの構成図である。
【００１４】
図２、図３において、撮像装置１０の一次像を結像する焦点板Ｉ１からの光束は、光路を略９０度折り曲げるための第１光学部材Ｍ１で撮像装置１０の右方向（図２の紙面奥方向及び図３の紙面左側方向）に偏向され、光路偏向部材である第２光学部材Ｍ２に入射し略９０度光路を撮像装置１０の下方（図２の紙面下方及び図３の紙面下方）に偏向される。第２光学部材Ｍ２で偏向された光束は、リレーレンズ群のリレー前群３に入射し射出して、第３光学部材Ｍ３に入射し略９０度偏向されて撮像装置１０の後方（図２の紙面右方向及び図３の紙面奥方向）に射出してリレーレンズ群のリレー後群４に入射し、二次結像面Ｉ２に二次像が結像される。二次結像面Ｉ２に結像された二次像をアイポイントＥＰで拡大観察するために、正屈折力の接眼前群５と正屈折力の接眼後群６からなる接眼レンズ群が配置されている。このように構成することで、焦点板Ｉ１からの光軸ＩＯと接眼レンズ群の光軸ＩＰをねじれの位置関係に配設することができる。
本発明の第１実施の形態にかかるリレー式ファインダー光学系Ｍでは、焦点板Ｉ１からの光軸ＩＯと接眼レンズ群の光軸ＩＰが、ねじれの位置関係になるように構成することで、リレー式ファインダー光学系Ｍを前後左右方向に小型化することができると共に、リレー式ファインダー光学系Ｍで問題となる接眼レンズ群の光軸ＩＰの位置を撮影レンズ１１の光軸Ｉ１１の位置に近づけることが可能となる。
【００１５】
また、焦点板Ｉ１からの光軸ＩＯと接眼レンズ群の光軸ＩＰがねじれの位置になることにより、ファインダー窓１４の位置を撮影レンズ１１の光軸Ｉ１１の位置に対して左右方向にずらして液晶モニタ１６の左右位置に設けることが可能となり、ファインダー窓１４と液晶モニタ１６の観察の切替を容易にする事ができる。
【００１６】
また、上記ねじれの位置関係に構成されているため、光学部材（例えば、Ｍ２、Ｍ３）を前方に突出して配置する必要が無くなり、リレー式ファインダー光学系Ｍの前後方向を小型にすることが可能となる。
【００１７】
また、焦点板Ｉ１より物体側（図２の紙面の左方向）に光学部材（例えば、Ｍ２，Ｍ３）が大きくはみだすことがなく、リレー式ファインダー光学系Ｍの構成部品と撮影レンズ１１との干渉等を防ぐことも可能となる。
【００１８】
デジタル一眼レフレックスカメラの場合、カメラ背面には撮影した画像を表示したり、カメラの各種情報を表示したりする為の液晶モニタ１６を配置している。接眼レンズの光軸ＩＰの位置と撮影レンズ１１の光軸Ｉ１１の位置を近づけることにより、ファインダー窓１４で観察している状態から、液晶モニタ１６の内容を確認する為の眼の移動量は少なくなり、撮影者は容易に情報の切り替えが行えるようになる。
【００１９】
また、リレーレンズ群はリレー前群３とリレー後群４で構成され、リレー前群３は、光軸に沿って物体側から順に、正屈折力の単レンズＬ３１と、負屈折力の単レンズＬ３２と、正屈折力の単レンズＬ３３とから構成され、、リレー後群４は、正屈折力の単レンズＬ４１で構成されている。
【００２０】
リレー前群３を３枚のレンズＬ３１、Ｌ３２、Ｌ３３のみで構成することにより、リレーレンズ群の前後に光路折り曲げ用の光学部材を配置する為の間隔を十分に取ることが可能となり、フレア、ゴーストを遮断する為の遮光部材（例えば、開口絞り等）を効果的に配置することが可能となる。
【００２１】
また、リレー後群４を正の屈折力の単レンズＬ４１のみとすることで、リレー後群４と接眼レンズ群とからなる光学系をコンパクトに構成することができる。また瞳の位置関係を良好に設定することができると共に全体の大きさを小さくすることも可能となる。
【００２２】
また、リレーレンズ群の第二結像面Ｉ２の近傍にリレー後群４が配置されている為、リレー後群４と接眼レンズ群とからなる光学系をよりコンパクトに構成することができる。またリレーレンズ群の瞳位置と、接眼レンズ群の瞳位置を良好に設定することが可能である。
【００２３】
また、接眼レンズ群は接眼前群５と接眼後群６から構成され、リレー式ファインダー光学系Ｍの視度調整は、接眼前群５を光軸方向に移動させることで行う構成である。接眼前群５を光軸方向に移動させて視度調節を行うことにより、リレー式ファインダー光学系Ｍの最終レンズ群である接眼後群６を固定することが出来、視度調節に伴う瞳位置の変化、すなわちアイポイントＥＰの位置が変化しないように構成することが可能となる。
【００２４】
従来、最終レンズ群である接眼後群６が視度調節の為に稼動する場合、防塵、防滴、防水構造をとる為に保護ガラスを配置しており、保護ガラスを配置する分アイポイントＥＰまでの距離が短くなり、また保護ガラス分のコストアップもあった。本第１実施の形態では、最終レンズ群である接眼後群６が固定されている為、防塵、防滴、防水構造とする為の保護ガラスを配置する必要性がなくなり、アイポイントＥＰまでの距離が短くなることもなく、且つコストダウンにもなる。
【００２５】
（第２実施の形態）
図４は、本発明の第２実施にかかるリレー式ファインダー光学系Ｍの概略構成図である。図５は、図４においてＡ方向から見た（図１において撮像レンズ１１側から見た）ときの構成図である。第２実施の形態は、第１実施の形態の変形例であり第１実施の形態と同様の構成には同じ符号を付し説明する。
【００２６】
図４、図５において、撮像装置１０の一次像を結像する焦点板Ｉ１からの光束は、光路を略９０度折り曲げるための第１光学部材Ｍ１で撮像装置１０の右方向（図４の紙面奥方向及び図５の紙面左側方向）に偏向され、光路偏向部材である第２光学部材Ｍ２に入射し略９０度光路を撮像装置１０の下方（図４の紙面下方及び図５の紙面下方）に偏向される。第２光学部材Ｍ２で偏向された光束は、リレーレンズ群のリレー前群３に入射し射出して、第３光学部材Ｍ３に入射し略９０度偏向されて撮像装置１０の後方（図４の紙面右方向及び図５の紙面奥方向）に射出してリレーレンズ群のリレー後群４に入射し、二次結像面Ｉ２に二次像が結像される。二次結像面Ｉ２に結像された二次像をアイポイントＥＰで拡大観察するために、正屈折力の接眼前群５と正屈折力の接眼後群６からなる接眼レンズ群が配置されている。このように構成することで、焦点板Ｉ１からの光軸ＩＯと接眼レンズ群の光軸ＩＰをねじれの位置関係に配設することができる。
【００２７】
本発明の第２実施例にかかるリレー式ファインダー光学系Ｍでは、焦点板Ｉ１からの光軸ＩＯと接眼レンズ群の光軸ＩＰが、ねじれの位置関係になるように構成することで、リレー式ファインダー光学系Ｍを前後左右方向に小型化することができると共に、リレー式ファインダー光学系Ｍで問題となる接眼レンズ群の光軸ＩＰの位置を撮影レンズ１１の光軸Ｉ１１の位置に近づけることが可能となる。
【００２８】
また、焦点板Ｉ１からの光軸ＩＯと接眼レンズ群の光軸ＩＰがねじれの位置になることにより、ファインダー窓１４の位置を撮影レンズ１１の光軸Ｉ１１の位置に対して左右方向にずらして液晶モニタ１６の左右位置に設けることが可能となり、ファインダー窓１４と液晶モニタ１６の観察の切替を容易にする事ができる。
【００２９】
また、上記ねじれの位置関係に構成されているため、光学部材（例えば、Ｍ２、Ｍ３）を前方に突出して配置する必要が無くなり、リレー式ファインダー光学系Ｍの前後方向を小型にすることが可能となる。
【００３０】
また、焦点板Ｉ１より物体側（図４の紙面の左方向）に光学部材（例えば、Ｍ２，Ｍ３）が大きくはみだすことがなく、リレー式ファインダー光学系Ｍの構成部品と撮影レンズ１１との干渉等を防ぐことも可能となる。
【００３１】
本第２実施の形態では、第１実施の形態に比較して光学部材Ｍ１と光学部材Ｍ２との間隔が広く、かつ焦点板Ｉ１と光学部材Ｍ１との距離が短く構成されているため、撮像装置１０の左右方向が第１実施の形態に比較して長くなるものの、接眼レンズ群の光軸ＩＰの位置を焦点板Ｉ１の位置の下方に配置することが可能になる。この結果、ファインダー窓１４の位置を液晶モニタ１６の左右の位置に配置することが可能になり、撮影者がファインダー窓１４と液晶モニタ１６の観察を容易に変更する事ができ、操作性の良い撮像装置１０を提供することが可能になる。
【００３２】
デジタル一眼レフレックスカメラの場合、カメラ背面には撮影した画像を表示したり、カメラの各種情報を表示したりする為の液晶モニタ１６を配置している。接眼レンズの光軸ＩＰの位置と撮影レンズ１１の光軸Ｉ１１の位置を近づけることにより、ファインダー窓１４で観察している状態から、液晶モニタ１６の内容を確認する為の眼の移動量は少なくなり、撮影者は容易に情報の切り替えが行えるようになる。
【００３３】
また、リレーレンズ群はリレー前群３とリレー後群４で構成され、リレー前群３は、光軸に沿って物体側から順に、正屈折力の単レンズＬ３１と、負屈折力の単レンズＬ３２と、正屈折力の単レンズＬ３３とから構成され、、リレー後群４は、正屈折力の単レンズＬ４１で構成されている。
【００３４】
リレー前群３を３枚のレンズＬ３１、Ｌ３２、Ｌ３３のみで構成することにより、リレーレンズ群の前後に光路折り曲げ用の光学部材を配置する為の間隔を十分に取ることが可能となり、フレア、ゴーストを遮断する為の遮光部材（例えば、開口絞り等）を効果的に配置することが可能となる。
【００３５】
また、リレー後群４を正の屈折力の単レンズＬ４１のみとすることで、リレー後群４と接眼レンズ群とからなる光学系をコンパクトに構成することができる。また瞳の位置関係を良好に設定することができると共に全体の大きさを小さくすることも可能となる。
【００３６】
また、リレーレンズ群の第二結像面Ｉ２の近傍にリレー後群４が配置されている為、リレー後群４と接眼レンズ群とからなる光学系をよりコンパクトに構成することができる。またリレーレンズ群の瞳位置と、接眼レンズ群の瞳位置を良好に設定することが可能である。
【００３７】
また、接眼レンズ群は接眼前群５と接眼後群６から構成され、リレー式ファインダー光学系Ｍの視度調整は、接眼前群５を光軸方向に移動させることで行う構成である。接眼前群５を光軸方向に移動させて視度調節を行うことにより、リレー式ファインダー光学系Ｍの最終レンズ群である接眼後群６を固定することが出来、視度調節に伴う瞳位置の変化、すなわちアイポイントＥＰの位置が変化しないように構成することが可能となる。
【００３８】
従来、最終レンズ群である接眼後群６が視度調節の為に稼動する場合、防塵、防滴、防水構造をとる為に保護ガラスを配置しており、保護ガラスを配置する分アイポイントＥＰまでの距離が短くなり、また保護ガラス分のコストアップもあった。本第１実施の形態では、最終レンズ群である接眼後群６が固定されている為、防塵、防滴、防水構造とする為の保護ガラスを配置する必要性がなくなり、アイポイントＥＰまでの距離が短くなることもなく、且つコストダウンにもなる。
【００３９】
（第３実施の形態）
図６は、本発明の第３実施の形態にかかるリレー式ファインダー光学系Ｍの概略構成図である。図７は、図６においてＡ方向から見た（図１において撮像レンズ１１側から見た）ときの構成図である。第３実施の形態において、第１実施の形態と同様の構成には同じ符号を付し説明する。
【００４０】
図６、図７において、撮像装置１０の一次像を結像する焦点板Ｉ１からの光束は、光路を略９０度折り曲げるための第１光学部材Ｍ１で撮像装置１０の右前４５度方向（図６の紙面左奥４５度方向及び図７の紙面左手前４５度方向）に偏向され、光路を略９０度折り曲げるための第２光学部材Ｍ２に入射し撮像装置１０の左後４５度方向（図６の紙面右手前方向及び図７の紙面左奥４５度方向）に偏向され光路を撮像装置１０の下方（図６の紙面下方及び図７の紙面下方）に偏向される。第２光学部材Ｍ２で偏向された光束は、リレーレンズ群のリレー前群３に入射し射出して、第３光学部材Ｍ３に入射し略９０度偏向されて撮像装置１０の後方（図６の紙面右方向及び図７の紙面奥方向）に射出してリレーレンズ群のリレー後群４に入射し、二次結像面Ｉ２に二次像が結像される。二次結像面Ｉ２に結像された二次像をアイポイントＥＰで拡大観察するために、正屈折力の接眼前群５と正屈折力の接眼後群６からなる接眼レンズ群が配置されている。このように構成することで、焦点板Ｉ１からの光軸ＩＯと接眼レンズ群の光軸ＩＰをねじれの位置関係に配設することができる。
【００４１】
本発明の第３実施の形態にかかるリレー式ファインダー光学系Ｍでは、焦点板Ｉ１からの光軸ＩＯと接眼レンズ群の光軸ＩＰが、ねじれの位置関係になるように構成することで、リレー式ファインダー光学系Ｍを前後左右方向に小型化することができると共に、リレー式ファインダー光学系Ｍで問題となる接眼レンズ群の光軸ＩＰの位置を撮影レンズ１１の光軸Ｉ１１の位置に近づけることが可能となる。
【００４２】
また、焦点板Ｉ１からの光軸と接眼レンズ群の光軸がねじれの位置になることにより、ファインダー窓１４の位置を撮影レンズ１１の光軸Ｉ１１の位置に対して左右方向にずらして液晶モニタ１６の左右位置に設けることが可能となり、ファインダー窓１４と液晶モニタ１６の観察の切替を容易にする事ができる。
【００４３】
また、光学部材Ｍ１が撮像装置１０の右前４５度方向（図６の紙面左奥４５度方向及び図７の紙面左手前４５度方向）に傾けて配置され、光学部材Ｍ２が撮像装置１０の左後４５度方向（図６の紙面右手前方向及び図７の紙面左奥４５度方向）に傾けて配置され、かつ光軸ＩＯと光軸ＩＰとがねじれの位置関係に構成されているため、光学部材（例えば、Ｍ２、Ｍ３）の前後左右方向への突出量を少なくすることができ、リレー式ファインダー光学系Ｍの前後左右方向を小型にすることが可能となる。
【００４４】
また、焦点板Ｉ１より物体側（図６の紙面の左方向）に光学部材（例えば、Ｍ２，Ｍ３）が大きくはみだすことがなく、リレー式ファインダー光学系Ｍの構成部品と撮影レンズ１１との干渉等を防ぐことも可能となる。
【００４５】
デジタル一眼レフレックスカメラの場合、カメラ背面には撮影した画像を表示したり、カメラの各種情報を表示したりする為の液晶モニタ１６を配置している。接眼レンズの光軸ＩＰの位置と撮影レンズ１１の光軸Ｉ１１の位置を近づけることにより、ファインダー窓１４で観察している状態から、液晶モニタ１６の内容を確認する為の眼の移動量は少なくなり、撮影者は容易に情報の切り替えが行えるようになる。
【００４６】
また、リレーレンズ群はリレー前群３とリレー後群４で構成され、リレー前群３は、光軸に沿って物体側から順に、正屈折力の単レンズＬ３１と、負屈折力の単レンズＬ３２と、正屈折力の単レンズＬ３３とから構成され、、リレー後群４は、正屈折力の単レンズＬ４１で構成されている。
【００４７】
リレー前群３を３枚のレンズＬ３１、Ｌ３２、Ｌ３３のみで構成することにより、リレーレンズ群の前後に光路折り曲げ用の光学部材を配置する為の間隔を十分に取ることが可能となり、フレア、ゴーストを遮断する為の遮光部材（例えば、開口絞り等）を効果的に配置することが可能となる。
【００４８】
また、リレー後群４を正の屈折力の単レンズＬ４１のみとすることで、リレー後群４と接眼レンズ群とからなる光学系をコンパクトに構成することができる。また瞳の位置関係を良好に設定することができると共に全体の大きさを小さくすることも可能となる。
【００４９】
また、リレーレンズ群の第二結像面Ｉ２の近傍にリレー後群４が配置されている為、リレー後群４と接眼レンズ群とからなる光学系をよりコンパクトに構成することができる。またリレーレンズ群の瞳位置と、接眼レンズ群の瞳位置を良好に設定することが可能である。
【００５０】
また、接眼レンズ群は接眼前群５と接眼後群６から構成され、リレー式ファインダー光学系Ｍの視度調整は、接眼前群５を光軸方向に移動させることで行う構成である。接眼前群５を光軸方向に移動させて視度調節を行うことにより、リレー式ファインダー光学系Ｍの最終レンズ群である接眼後群６を固定することが出来、視度調節に伴う瞳位置の変化、すなわちアイポイントＥＰの位置が変化しないように構成することが可能となる。
【００５１】
従来、最終レンズ群である接眼後群６が視度調節の為に稼動する場合、防塵、防滴、防水構造をとる為に保護ガラスを配置しており、保護ガラスを配置する分アイポイントＥＰまでの距離が短くなり、また保護ガラス分のコストアップもあった。本第１実施の形態では、最終レンズ群である接眼後群６が固定されている為、防塵、防滴、防水構造とする為の保護ガラスを配置する必要性がなくなり、アイポイントＥＰまでの距離が短くなることもなく、且つコストダウンにもなる。
【００５２】
なお、全ての実施の形態において、光学部材Ｍ１、Ｍ２、及びＭ３には、ミラーが用いられるが、プリズム等の光学部材を用いることができる。
【００５３】
また、全ての実施の形態において、リレー前群３は第２光学部材Ｍ２と第３光学部材Ｍ３の間に配置しているが、焦点板Ｉ１と第１光学部材Ｍ１の間、第１光学部材Ｍ２と第２光学部材Ｍ２の間、或いは第３光学部材Ｍ３の直後に配置しても同様の効果を奏することができる。
【００５４】
また、全ての実施の形態において、リレー前群３を複数に分割して焦点板Ｉ１からリレー後群４までの間に分割した一部のレンズ群を配置するように構成しても良い。
【００５５】
また、全ての実施の形態において、リレーレンズ群に１枚の非球面レンズを設けることが可能である。リレーレンズ群に非球面を１枚を物体側の面に使用することにより球面収差を良好に補正することが可能となり、その他のレンズにて接眼レンズ群との瞳位置を調整しても性能を維持することが可能となる。また、１枚の非球面を接眼レンズ群に近い位置に使用した場合には、その他のレンズにて球面収差の補正を行い、非球面レンズで接眼レンズ群との瞳位置を調整しつつコマ収差を良好に補正することが可能となる。
【００５６】
また、全ての実施の形態において、リレーレンズ群及び接眼レンズ群の少なくとも１つのレンズにプラスチックレンズを用いることが可能である。このようにプラスチックレンズを用いることによりより一層の低価格化及び軽量化を実現することが可能になる。
【００５７】
なお、本発明の全の実施の形態では、２群構成のレンズ系を示したが、該２群に付加レンズ群を加えただけのレンズ系も本発明の効果を内在した同等のレンズ系であることは言うまでもない。また、各レンズ群内の構成においても、実施例の構成に付加レンズを加えただけのレンズ群も本発明の効果を内在した同等のレンズ群であることは言うまでもない。
【００５８】
また、上述の実施の形態は例に過ぎず、上述の構成や形状に限定されるものではなく、本発明の範囲内において適宜修正、変更が可能である。
【００５９】
本発明によれば、主としてデジタルスチルカメラや、一眼レフレックス用のファインダーとして使用可能であり、ファインダー光軸を撮影レンズの光軸に近づけることができ、且つ小型のリレー式ファインダー光学系を提供することが可能となる。また、このリレー式ファインダー光学系を有するカメラを提供することが可能になる。
【図面の簡単な説明】
【００６０】
【図１】本発明にかかるリレー式ファインダー光学系を有する本発明にかかる撮像装置の概略構成図である。
【図２】本発明の第１実施の形態にかかるリレー式ファインダー光学系の概略構成図である。
【図３】図２のＡ方向から見たリレー式ファインダー光学系の概略構成図である。
【図４】本発明の第２実施の形態にかかるリレー式ファインダー光学系の概略構成図である。
【図５】図４のＡ方向から見たリレー式ファインダー光学系の概略構成図である。
【図６】本発明の第３実施の形態にかかるリレー式ファインダー光学系の概略構成図である。
【図７】図６のＡ方向から見たリレー式ファインダー光学系の概略構成図である。
【符号の説明】
【００６１】
３    リレー前群
４    リレー後群
５    接眼前群
６    接眼後群
１０  撮像装置
１１  撮影レンズ
１２  クイックリターンミラー
１４  ファインダー窓
１５  撮像素子
１６  液晶モニタ
Ｉ１  焦点板
Ｉ２  第二結像面
Ｍ１  第１光学部材
Ｍ２  第２光学部材
Ｍ３  第３光学部材
ＥＰ  アイポイント
【図１】
2007212680.tif 000003
【図２】
2007212680.tif 000004
【図３】
2007212680.tif 000005
【図４】
2007212680.tif 000006
【図５】
2007212680.tif 000007
【図６】
2007212680.tif 000008
【図７】
2007212680.tif 000009
【手続補正書】
【提出日】平成18年2月24日(2006.2.24)
【手続補正１】
【補正対象書類名】明細書
【補正対象項目名】全文
【補正方法】変更
【補正の内容】
【発明の詳細な説明】
【技術分野】
【０００１】
本発明は、デジタルスチルカメラや一眼レフレックスカメラ等に用いられるリレー式ファインダー光学系に関する。
【背景技術】
【０００２】
従来、一眼レフレックスカメラ等のファインダー光学系を小型化するためにリレー式ファインダー光学系が提案されている（例えば、特許文献１参照）。
【特許文献１】特開平１−１０１５３４号公報。
【発明の開示】
【発明が解決しようとする課題】
【０００３】
しかしながら、特許文献１に開示されているリレー式ファインダー光学系は、リレーレンズ群と接眼レンズ群との間で焦点板からの光束が接眼レンズ群への光束と交差する構成であるが、リレーレンズ群と接眼レンズ群が焦点板からの光束に干渉しないようにするために、リレーレンズ群と接眼レンズ群との空気間隔を大きく空ける必要があり、カメラの前方にリレーレンズ群が突出し小型化が難しいと言う問題がある。
【０００４】
本発明は、上記課題に鑑みて行われたものであり、デジタルスチルカメラや一眼レフレックスカメラ等に好適な小型のリレー式ファインダー光学系を提供することを目的とする。また、このリレー式ファインダー光学系を具備する撮像装置を提供することを目的とする。
【課題を解決するための手段】
【０００５】
上記課題を解決するために、本発明は、光軸に沿って物体側から順に、一次像から二次像を形成するための正の屈折力を有するリレーレンズ群と、前記二次像を観察するための正の屈折力を有する接眼レンズ群を有し、前記一次像からの光軸と前記接眼レンズ群の光軸をねじれの位置に配設するための光学手段を有することを特徴とするリレー式ファインダー光学系を提供する。
【０００６】
また、本発明は、前記リレー式ファインダー光学系を具備してなることを特徴とする撮像装置を提供する。
【発明の効果】
【０００７】
本発明によれば、デジタルスチルカメラや一眼レフレックスカメラ等に好適な小型のリレー式ファインダー光学系を提供することができる。また、このリレー式ファインダー光学系を具備する撮像装置を提供することができる。
【発明を実施するための最良の形態】
【０００８】
以下、本発明の実施の形態にかかる撮像装置に関し図面を参照しつつ説明する。
【０００９】
図１は、後述する本発明にかかるリレー式ファインダー光学系を有する本発明にかかる撮像装置の概略構成図である。
【００１０】
図１において、本発明にかかる撮像装置１０（例えば、一眼レフレックスカメラ等）は、不図示の被写体からの光が、撮影レンズ１１を通過してクイックリターンミラー１２に入射し、反射されて一次像面に配置された焦点板Ｉ１に一次像を結像する。焦点板Ｉ１に結像された被写体像からの光束は、後述するリレー式ファインダー光学系Ｍに入射して撮像装置１０の後方のファインダー窓１４を介して撮影者に観察される。撮影者は、被写体像を観察し、不図示のレリーズ釦を押し込むことでクイックリターンミラー１２が撮影レンズ１１の光路から退避し不図示のシャッターが動作して撮像素子（例えば、ＣＣＤやＣＭＯＳ等）１５で撮像され不図示のメモリに記録される。記録された画像は、背面の液晶モニタ１６に表示されて撮影者に確認される。このようにして、後述する本発明にかかるリレー式ファインダー光学系Ｍを有する撮像装置１０が構成されている。
【００１１】
本発明にかかる撮像装置１０は、後述するリレー式ファインダー光学系Ｍを内蔵しているため、撮影レンズ１１の光軸Ｉ１１の位置とリレー式ファインダー光学系Ｍの接眼レンズ群の光軸ＩＰの位置を近づけることが可能になり、液晶モニタ１６に表示される被写体像や撮像装置１０の各種情報をより観察しやすくする事ができる。また、小型のリレー式ファインダー光学系Ｍを用いているため、より小型の撮像装置１０を構成することができる。
【００１２】
また、本発明にかかる撮像装置１０は、撮像装置１０内のクイックリターンミラー１２と、リレー式ファインダー光学系Ｍに内蔵された３個の反射面により、ファインダー窓１４から正立化された被写体像を撮影者が観察することができる。
【００１３】
以下、本発明にかかるリレー式ファインダー光学系の各実施の形態を、図１及びそれぞれの添付図面に基づいて説明する。ここで実施の形態の説明のために、図１において、撮影レンズ１１側を「前」、ファインダー１４側を「後」、紙面の奥を「右」、及び紙面手間を「左」と定義する。
【００１４】
（第１実施の形態）
図２は、本発明の第１実施の形態にかかるリレー式ファインダー光学系Ｍの概略構成図である。図３は、図２においてＡ方向から見た（図１において撮像レンズ１１側から見た）ときの構成図である。
【００１５】
図２、図３において、撮像装置１０の一次像を結像する焦点板Ｉ１からの光束は、光路を略９０度折り曲げるための第１光学部材Ｍ１で撮像装置１０の右方向（図２の紙面奥方向及び図３の紙面左側方向）に偏向され、光路偏向部材である第２光学部材Ｍ２に入射し略９０度光路を撮像装置１０の下方（図２の紙面下方及び図３の紙面下方）に偏向される。第２光学部材Ｍ２で偏向された光束は、リレーレンズ群のリレー前群３に入射し射出して、第３光学部材Ｍ３に入射し略９０度偏向されて撮像装置１０の後方（図２の紙面右方向及び図３の紙面奥方向）に射出してリレーレンズ群のリレー後群４に入射し、二次結像面Ｉ２に二次像が結像される。二次結像面Ｉ２に結像された二次像をアイポイントＥＰで拡大観察するために、正屈折力の接眼前群５と正屈折力の接眼後群６からなる接眼レンズ群が配置されている。このように構成することで、焦点板Ｉ１からの光軸ＩＯと接眼レンズ群の光軸ＩＰをねじれの位置関係に配設することができる。
本発明の第１実施の形態にかかるリレー式ファインダー光学系Ｍでは、焦点板Ｉ１からの光軸ＩＯと接眼レンズ群の光軸ＩＰが、ねじれの位置関係になるように構成することで、リレー式ファインダー光学系Ｍを前後左右方向に小型化することができると共に、リレー式ファインダー光学系Ｍで問題となる接眼レンズ群の光軸ＩＰの位置を撮影レンズ１１の光軸Ｉ１１の位置に近づけることが可能となる。
【００１６】
また、焦点板Ｉ１からの光軸ＩＯと接眼レンズ群の光軸ＩＰがねじれの位置になることにより、ファインダー窓１４の位置を撮影レンズ１１の光軸Ｉ１１の位置に対して左右方向にずらして液晶モニタ１６の左右位置に設けることが可能となり、ファインダー窓１４と液晶モニタ１６の観察の切替を容易にする事ができる。
【００１７】
また、上記ねじれの位置関係に構成されているため、光学部材（例えば、Ｍ２、Ｍ３）を前方に突出して配置する必要が無くなり、リレー式ファインダー光学系Ｍの前後方向を小型にすることが可能となる。
【００１８】
また、焦点板Ｉ１より物体側（図２の紙面の左方向）に光学部材（例えば、Ｍ２，Ｍ３）が大きくはみだすことがなく、リレー式ファインダー光学系Ｍの構成部品と撮影レンズ１１との干渉等を防ぐことも可能となる。
【００１９】
デジタル一眼レフレックスカメラの場合、カメラ背面には撮影した画像を表示したり、カメラの各種情報を表示したりする為の液晶モニタ１６を配置している。接眼レンズの光軸ＩＰの位置と撮影レンズ１１の光軸Ｉ１１の位置を近づけることにより、ファインダー窓１４で観察している状態から、液晶モニタ１６の内容を確認する為の眼の移動量は少なくなり、撮影者は容易に情報の切り替えが行えるようになる。
【００２０】
また、リレーレンズ群はリレー前群３とリレー後群４で構成され、リレー前群３は、光軸に沿って物体側から順に、正屈折力の単レンズＬ３１と、負屈折力の単レンズＬ３２と、正屈折力の単レンズＬ３３とから構成され、リレー後群４は、正屈折力の単レンズＬ４１で構成されている。
【００２１】
リレー前群３を３枚のレンズＬ３１、Ｌ３２、Ｌ３３のみで構成することにより、リレーレンズ群の前後に光路折り曲げ用の光学部材を配置する為の間隔を十分に取ることが可能となり、フレア、ゴーストを遮断する為の遮光部材（例えば、開口絞り等）を効果的に配置することが可能となる。
【００２２】
また、リレー後群４を正の屈折力の単レンズＬ４１のみとすることで、リレー後群４と接眼レンズ群とからなる光学系をコンパクトに構成することができる。また瞳の位置関係を良好に設定することができると共に全体の大きさを小さくすることも可能となる。
【００２３】
また、リレーレンズ群の第二結像面Ｉ２の近傍にリレー後群４が配置されている為、リレー後群４と接眼レンズ群とからなる光学系をよりコンパクトに構成することができる。またリレーレンズ群の瞳位置と、接眼レンズ群の瞳位置を良好に設定することが可能である。
【００２４】
また、接眼レンズ群は接眼前群５と接眼後群６から構成され、リレー式ファインダー光学系Ｍの視度調整は、接眼前群５を光軸方向に移動させることで行う構成である。接眼前群５を光軸方向に移動させて視度調節を行うことにより、リレー式ファインダー光学系Ｍの最終レンズ群である接眼後群６を固定することが出来、視度調節に伴う瞳位置の変化、すなわちアイポイントＥＰの位置が変化しないように構成することが可能となる。
【００２５】
従来、最終レンズ群である接眼後群６が視度調節の為に稼動する場合、防塵、防滴、防水構造をとる為に保護ガラスを配置しており、保護ガラスを配置する分アイポイントＥＰまでの距離が短くなり、また保護ガラス分のコストアップもあった。本第１実施の形態では、最終レンズ群である接眼後群６が固定されている為、防塵、防滴、防水構造とする為の保護ガラスを配置する必要性がなくなり、アイポイントＥＰまでの距離が短くなることもなく、且つコストダウンにもなる。
【００２６】
（第２実施の形態）
図４は、本発明の第２実施にかかるリレー式ファインダー光学系Ｍの概略構成図である。図５は、図４においてＡ方向から見た（図１において撮像レンズ１１側から見た）ときの構成図である。第２実施の形態は、第１実施の形態の変形例であり第１実施の形態と同様の構成には同じ符号を付し説明する。
【００２７】
図４、図５において、撮像装置１０の一次像を結像する焦点板Ｉ１からの光束は、光路を略９０度折り曲げるための第１光学部材Ｍ１で撮像装置１０の右方向（図４の紙面奥方向及び図５の紙面左側方向）に偏向され、光路偏向部材である第２光学部材Ｍ２に入射し略９０度光路を撮像装置１０の下方（図４の紙面下方及び図５の紙面下方）に偏向される。第２光学部材Ｍ２で偏向された光束は、リレーレンズ群のリレー前群３に入射し射出して、第３光学部材Ｍ３に入射し略９０度偏向されて撮像装置１０の後方（図４の紙面右方向及び図５の紙面奥方向）に射出してリレーレンズ群のリレー後群４に入射し、二次結像面Ｉ２に二次像が結像される。二次結像面Ｉ２に結像された二次像をアイポイントＥＰで拡大観察するために、正屈折力の接眼前群５と正屈折力の接眼後群６からなる接眼レンズ群が配置されている。このように構成することで、焦点板Ｉ１からの光軸ＩＯと接眼レンズ群の光軸ＩＰをねじれの位置関係に配設することができる。
【００２８】
本発明の第２実施例にかかるリレー式ファインダー光学系Ｍでは、焦点板Ｉ１からの光軸ＩＯと接眼レンズ群の光軸ＩＰが、ねじれの位置関係になるように構成することで、リレー式ファインダー光学系Ｍを前後左右方向に小型化することができると共に、リレー式ファインダー光学系Ｍで問題となる接眼レンズ群の光軸ＩＰの位置を撮影レンズ１１の光軸Ｉ１１の位置に近づけることが可能となる。
【００２９】
また、焦点板Ｉ１からの光軸ＩＯと接眼レンズ群の光軸ＩＰがねじれの位置になることにより、ファインダー窓１４の位置を撮影レンズ１１の光軸Ｉ１１の位置に対して左右方向にずらして液晶モニタ１６の左右位置に設けることが可能となり、ファインダー窓１４と液晶モニタ１６の観察の切替を容易にする事ができる。
【００３０】
また、上記ねじれの位置関係に構成されているため、光学部材（例えば、Ｍ２、Ｍ３）を前方に突出して配置する必要が無くなり、リレー式ファインダー光学系Ｍの前後方向を小型にすることが可能となる。
【００３１】
また、焦点板Ｉ１より物体側（図４の紙面の左方向）に光学部材（例えば、Ｍ２，Ｍ３）が大きくはみだすことがなく、リレー式ファインダー光学系Ｍの構成部品と撮影レンズ１１との干渉等を防ぐことも可能となる。
【００３２】
本第２実施の形態では、第１実施の形態に比較して光学部材Ｍ１と光学部材Ｍ２との間隔が広く、かつ焦点板Ｉ１と光学部材Ｍ１との距離が短く構成されているため、撮像装置１０の左右方向が第１実施の形態に比較して長くなるものの、接眼レンズ群の光軸ＩＰの位置を焦点板Ｉ１の位置の下方に配置することが可能になる。この結果、ファインダー窓１４の位置を液晶モニタ１６の左右の位置に配置することが可能になり、撮影者がファインダー窓１４と液晶モニタ１６の観察を容易に変更する事ができ、操作性の良い撮像装置１０を提供することが可能になる。
【００３３】
デジタル一眼レフレックスカメラの場合、カメラ背面には撮影した画像を表示したり、カメラの各種情報を表示したりする為の液晶モニタ１６を配置している。接眼レンズの光軸ＩＰの位置と撮影レンズ１１の光軸Ｉ１１の位置を近づけることにより、ファインダー窓１４で観察している状態から、液晶モニタ１６の内容を確認する為の眼の移動量は少なくなり、撮影者は容易に情報の切り替えが行えるようになる。
【００３４】
また、リレーレンズ群はリレー前群３とリレー後群４で構成され、リレー前群３は、光軸に沿って物体側から順に、正屈折力の単レンズＬ３１と、負屈折力の単レンズＬ３２と、正屈折力の単レンズＬ３３とから構成され、、リレー後群４は、正屈折力の単レンズＬ４１で構成されている。
【００３５】
リレー前群３を３枚のレンズＬ３１、Ｌ３２、Ｌ３３のみで構成することにより、リレーレンズ群の前後に光路折り曲げ用の光学部材を配置する為の間隔を十分に取ることが可能となり、フレア、ゴーストを遮断する為の遮光部材（例えば、開口絞り等）を効果的に配置することが可能となる。
【００３６】
また、リレー後群４を正の屈折力の単レンズＬ４１のみとすることで、リレー後群４と接眼レンズ群とからなる光学系をコンパクトに構成することができる。また瞳の位置関係を良好に設定することができると共に全体の大きさを小さくすることも可能となる。
【００３７】
また、リレーレンズ群の第二結像面Ｉ２の近傍にリレー後群４が配置されている為、リレー後群４と接眼レンズ群とからなる光学系をよりコンパクトに構成することができる。またリレーレンズ群の瞳位置と、接眼レンズ群の瞳位置を良好に設定することが可能である。
【００３８】
また、接眼レンズ群は接眼前群５と接眼後群６から構成され、リレー式ファインダー光学系Ｍの視度調整は、接眼前群５を光軸方向に移動させることで行う構成である。接眼前群５を光軸方向に移動させて視度調節を行うことにより、リレー式ファインダー光学系Ｍの最終レンズ群である接眼後群６を固定することが出来、視度調節に伴う瞳位置の変化、すなわちアイポイントＥＰの位置が変化しないように構成することが可能となる。
【００３９】
従来、最終レンズ群である接眼後群６が視度調節の為に稼動する場合、防塵、防滴、防水構造をとる為に保護ガラスを配置しており、保護ガラスを配置する分アイポイントＥＰまでの距離が短くなり、また保護ガラス分のコストアップもあった。本第１実施の形態では、最終レンズ群である接眼後群６が固定されている為、防塵、防滴、防水構造とする為の保護ガラスを配置する必要性がなくなり、アイポイントＥＰまでの距離が短くなることもなく、且つコストダウンにもなる。
【００４０】
（第３実施の形態）
図６は、本発明の第３実施の形態にかかるリレー式ファインダー光学系Ｍの概略構成図である。図７は、図６においてＡ方向から見た（図１において撮像レンズ１１側から見た）ときの構成図である。第３実施の形態において、第１実施の形態と同様の構成には同じ符号を付し説明する。
【００４１】
図６、図７において、撮像装置１０の一次像を結像する焦点板Ｉ１からの光束は、光路を略９０度折り曲げるための第１光学部材Ｍ１で撮像装置１０の右前４５度方向（図６の紙面左奥４５度方向及び図７の紙面左手前４５度方向）に偏向され、光路を略９０度折り曲げるための第２光学部材Ｍ２に入射し撮像装置１０の左後４５度方向（図６の紙面右手前方向及び図７の紙面左奥４５度方向）に偏向され光路を撮像装置１０の下方（図６の紙面下方及び図７の紙面下方）に偏向される。第２光学部材Ｍ２で偏向された光束は、リレーレンズ群のリレー前群３に入射し射出して、第３光学部材Ｍ３に入射し略９０度偏向されて撮像装置１０の後方（図６の紙面右方向及び図７の紙面奥方向）に射出してリレーレンズ群のリレー後群４に入射し、二次結像面Ｉ２に二次像が結像される。二次結像面Ｉ２に結像された二次像をアイポイントＥＰで拡大観察するために、正屈折力の接眼前群５と正屈折力の接眼後群６からなる接眼レンズ群が配置されている。このように構成することで、焦点板Ｉ１からの光軸ＩＯと接眼レンズ群の光軸ＩＰをねじれの位置関係に配設することができる。
【００４２】
本発明の第３実施の形態にかかるリレー式ファインダー光学系Ｍでは、焦点板Ｉ１からの光軸ＩＯと接眼レンズ群の光軸ＩＰが、ねじれの位置関係になるように構成することで、リレー式ファインダー光学系Ｍを前後左右方向に小型化することができると共に、リレー式ファインダー光学系Ｍで問題となる接眼レンズ群の光軸ＩＰの位置を撮影レンズ１１の光軸Ｉ１１の位置に近づけることが可能となる。
【００４３】
また、焦点板Ｉ１からの光軸と接眼レンズ群の光軸がねじれの位置になることにより、ファインダー窓１４の位置を撮影レンズ１１の光軸Ｉ１１の位置に対して左右方向にずらして液晶モニタ１６の左右位置に設けることが可能となり、ファインダー窓１４と液晶モニタ１６の観察の切替を容易にする事ができる。
【００４４】
また、光学部材Ｍ１が撮像装置１０の右前４５度方向（図６の紙面左奥４５度方向及び図７の紙面左手前４５度方向）に傾けて配置され、光学部材Ｍ２が撮像装置１０の左後４５度方向（図６の紙面右手前方向及び図７の紙面左奥４５度方向）に傾けて配置され、かつ光軸ＩＯと光軸ＩＰとがねじれの位置関係に構成されているため、光学部材（例えば、Ｍ２、Ｍ３）の前後左右方向への突出量を少なくすることができ、リレー式ファインダー光学系Ｍの前後左右方向を小型にすることが可能となる。
【００４５】
また、焦点板Ｉ１より物体側（図６の紙面の左方向）に光学部材（例えば、Ｍ２，Ｍ３）が大きくはみだすことがなく、リレー式ファインダー光学系Ｍの構成部品と撮影レンズ１１との干渉等を防ぐことも可能となる。
【００４６】
デジタル一眼レフレックスカメラの場合、カメラ背面には撮影した画像を表示したり、カメラの各種情報を表示したりする為の液晶モニタ１６を配置している。接眼レンズの光軸ＩＰの位置と撮影レンズ１１の光軸Ｉ１１の位置を近づけることにより、ファインダー窓１４で観察している状態から、液晶モニタ１６の内容を確認する為の眼の移動量は少なくなり、撮影者は容易に情報の切り替えが行えるようになる。
【００４７】
また、リレーレンズ群はリレー前群３とリレー後群４で構成され、リレー前群３は、光軸に沿って物体側から順に、正屈折力の単レンズＬ３１と、負屈折力の単レンズＬ３２と、正屈折力の単レンズＬ３３とから構成され、、リレー後群４は、正屈折力の単レンズＬ４１で構成されている。
【００４８】
リレー前群３を３枚のレンズＬ３１、Ｌ３２、Ｌ３３のみで構成することにより、リレーレンズ群の前後に光路折り曲げ用の光学部材を配置する為の間隔を十分に取ることが可能となり、フレア、ゴーストを遮断する為の遮光部材（例えば、開口絞り等）を効果的に配置することが可能となる。
【００４９】
また、リレー後群４を正の屈折力の単レンズＬ４１のみとすることで、リレー後群４と接眼レンズ群とからなる光学系をコンパクトに構成することができる。また瞳の位置関係を良好に設定することができると共に全体の大きさを小さくすることも可能となる。
【００５０】
また、リレーレンズ群の第二結像面Ｉ２の近傍にリレー後群４が配置されている為、リレー後群４と接眼レンズ群とからなる光学系をよりコンパクトに構成することができる。またリレーレンズ群の瞳位置と、接眼レンズ群の瞳位置を良好に設定することが可能である。
【００５１】
また、接眼レンズ群は接眼前群５と接眼後群６から構成され、リレー式ファインダー光学系Ｍの視度調整は、接眼前群５を光軸方向に移動させることで行う構成である。接眼前群５を光軸方向に移動させて視度調節を行うことにより、リレー式ファインダー光学系Ｍの最終レンズ群である接眼後群６を固定することが出来、視度調節に伴う瞳位置の変化、すなわちアイポイントＥＰの位置が変化しないように構成することが可能となる。
【００５２】
従来、最終レンズ群である接眼後群６が視度調節の為に稼動する場合、防塵、防滴、防水構造をとる為に保護ガラスを配置しており、保護ガラスを配置する分アイポイントＥＰまでの距離が短くなり、また保護ガラス分のコストアップもあった。本第１実施の形態では、最終レンズ群である接眼後群６が固定されている為、防塵、防滴、防水構造とする為の保護ガラスを配置する必要性がなくなり、アイポイントＥＰまでの距離が短くなることもなく、且つコストダウンにもなる。
【００５３】
なお、全ての実施の形態において、光学部材Ｍ１、Ｍ２、及びＭ３には、ミラーが用いられるが、プリズム等の光学部材を用いることができる。
【００５４】
また、全ての実施の形態において、リレー前群３は第２光学部材Ｍ２と第３光学部材Ｍ３の間に配置しているが、焦点板Ｉ１と第１光学部材Ｍ１の間、第１光学部材Ｍ２と第２光学部材Ｍ２の間、或いは第３光学部材Ｍ３の直後に配置しても同様の効果を奏することができる。
【００５５】
また、全ての実施の形態において、リレー前群３を複数に分割して焦点板Ｉ１からリレー後群４までの間に分割した一部のレンズ群を配置するように構成しても良い。
【００５６】
また、全ての実施の形態において、リレーレンズ群に１枚の非球面レンズを設けることが可能である。リレーレンズ群に非球面を１枚を物体側の面に使用することにより球面収差を良好に補正することが可能となり、その他のレンズにて接眼レンズ群との瞳位置を調整しても性能を維持することが可能となる。また、１枚の非球面を接眼レンズ群に近い位置に使用した場合には、その他のレンズにて球面収差の補正を行い、非球面レンズで接眼レンズ群との瞳位置を調整しつつコマ収差を良好に補正することが可能となる。
【００５７】
また、全ての実施の形態において、リレーレンズ群及び接眼レンズ群の少なくとも１つのレンズにプラスチックレンズを用いることが可能である。このようにプラスチックレンズを用いることによりより一層の低価格化及び軽量化を実現することが可能になる。
【００５８】
なお、本発明の全の実施の形態では、２群構成のレンズ系を示したが、該２群に付加レンズ群を加えただけのレンズ系も本発明の効果を内在した同等のレンズ系であることは言うまでもない。また、各レンズ群内の構成においても、実施例の構成に付加レンズを加えただけのレンズ群も本発明の効果を内在した同等のレンズ群であることは言うまでもない。
【００５９】
また、上述の実施の形態は例に過ぎず、上述の構成や形状に限定されるものではなく、本発明の範囲内において適宜修正、変更が可能である。
【００６０】
本発明によれば、主としてデジタルスチルカメラや、一眼レフレックス用のファインダーとして使用可能であり、ファインダー光軸を撮影レンズの光軸に近づけることができ、且つ小型のリレー式ファインダー光学系を提供することが可能となる。また、このリレー式ファインダー光学系を有するカメラを提供することが可能になる。
【図面の簡単な説明】
【００６１】
【図１】本発明にかかるリレー式ファインダー光学系を有する本発明にかかる撮像装置の概略構成図である。
【図２】本発明の第１実施の形態にかかるリレー式ファインダー光学系の概略構成図である。
【図３】図２のＡ方向から見たリレー式ファインダー光学系の概略構成図である。
【図４】本発明の第２実施の形態にかかるリレー式ファインダー光学系の概略構成図である。
【図５】図４のＡ方向から見たリレー式ファインダー光学系の概略構成図である。
【図６】本発明の第３実施の形態にかかるリレー式ファインダー光学系の概略構成図である。
【図７】図６のＡ方向から見たリレー式ファインダー光学系の概略構成図である。
【符号の説明】
【００６２】
３    リレー前群
４    リレー後群
５    接眼前群
６    接眼後群
１０  撮像装置
１１  撮影レンズ
１２  クイックリターンミラー
１４  ファインダー窓
１５  撮像素子
１６  液晶モニタ
Ｉ１  焦点板
Ｉ２  第二結像面
Ｍ１  第１光学部材
Ｍ２  第２光学部材
Ｍ３  第３光学部材
ＥＰ  アイポイント